(57)【要約】【課題】　追記型記録担体がＣＤ−ＲＯＭフォーマットにより構成された情報を記録するのに用いられる場合に、必要な情報を全て書き込めるようにする。【解決手段】　トラック内セクタ位置が論理セクタ番号ＬＳＮにより表される。情報ボリュームＶＯＬ１は、記録された情報ボリューム内の情報に対する探索を制御するための制御情報ＰＴ，ＤＦを備え、この情報は、予定のフォーマットで配設される。この制御情報に対する参照符号ＶＤ１が、予定のアドレス領域（ＬＳＮ＝１６〜ＬＳＮ＝ＳＺ）内セクタに収容される。次のボリュームＶＯＬ２がトラック１０内に記録される。各次の情報ボリュームは、該当ボリュームＶＯＬ２と先の記録ボリュームＶＯＬ１の両方の探索用の代用参照情報を持つ。代用参照情報は、再生可能代用アドレス領域（ＬＳＮ＝ｏｆｆｓ＋１６〜ＬＳＮ＝ｏｆｆｓ＋ＳＺ）内セクタに収容される。【選択図】　図４
2004103228.tif 000002
【特許請求の範囲】
【請求項１】
情報ボリュームがトラックのセクタに記録される記録担体であって、当該情報ボリュームは、記録された情報ボリューム内の情報に対する探索を制御するために用いられるようにされた制御情報を含み、所定のアドレス領域内の１個又は複数個のセクタが前記制御情報に対する参照符号を有する記録担体であって、
　最初の情報ボリュームに接近して、その関連する次の情報ボリューム内の情報の探索を制御するために用いられるようにされた適合制御情報を有する次の情報ボリュームが少なくとも、当該トラックに記録され、
　当該次の情報ボリュームが、再生可能な代用アドレス領域における１つ以上のセクタにおいて、当該情報ボリュームと、その関連する情報ボリュームに先行する少なくとも１個の情報ボリューム内との両方における情報の探索を制御するために用いられるようにされた制御情報に対する代用参照符号を有する、
記録担体。
【請求項２】
前記代用アドレス領域の大きさは、当該トラックにおける前の情報ボリュームのアドレス領域の大きさと等しいことを特徴とする請求項１に記載の記録担体。
【請求項３】
前記情報ボリュームの前記代用アドレス領域のセクタのアドレスを参照させる参照情報は、各次の情報ボリュームの端部に記録されていることを特徴とする請求項１又は２に記載の記録担体。
【請求項４】
前記代用制御情報が記録される当該次の情報ボリュームのセクタのセクタアドレスを参照させる参照情報は、各情報ボリューム内に含まれるか、又は当該セクタは、必要に応じて記録されるべき次の情報ボリュームの代用制御情報を格納するために企図されていることを特徴とする請求項３に記載の記録担体。
【請求項５】
情報ボリュームがトラックに記録される記録担体であって、前記情報ボリュームは、リードイン領域に記録されるリードイン信号と、前記リードイン領域に後続するプログラム領域に記録されるユーザデータと、前記情報ボリュームの端部を表し且つ前記プログラム領域に後続するリードアウト領域に記録されるリードアウト信号とを有する、記録担体であって、
　少なくとも１個の他の情報ボリュームの当該トラックは、前記リードアウト領域に後続する領域に記録され、前記他の情報ボリュームは、他のプログラム領域に記録された他のユーザデータと前記他の情報ボリュームの端部を表し且つ前記他のプログラム領域に後続する他のリードアウト領域に記録された他のリードアウト信号とを有することを特徴とする記録担体。
【請求項６】
前記他のユーザデータは、前記他のプログラム領域の所定アドレス領域に記録される制御情報を有し、前記他のリードアウト信号は、前記所定アドレスを参照させる参照情報を有することを特徴とする請求項５に記載の記録担体。
【請求項７】
第１プログラム領域の所定アドレス領域に、第１情報ボリュームにおける探索を制御するために制御情報が記録され、前記他のプログラム領域の前記アドレス領域は、前記第１プログラム領域と前記他のプログラム領域との両方についての情報の探索を制御するのに用いるための制御情報を有することを特徴とする請求項６に記載の記録担体。
【請求項８】
トラックを有する記録担体であって、前記トラックのアドレス可能な部分に記録されたデータを有する第１情報ボリュームを有し、当該情報ボリュームは、その第１情報ボリューム内の情報の探索を制御するのに使用するための制御情報を含み、且つ前記トラックのアドレス可能な部分に記録されたデータを有する少なくとも１個の付加的情報ボリュームが前記第１情報ボリュームに隣接しており、各付加的情報ボリュームは、その付加的情報ボリューム内及び少なくとも１個のそれに先立つ情報ボリューム内の情報の探索を制御するのに用いるための制御情報を含むことを特徴とする記録担体。
【請求項９】
少なくとも１個の付加的情報ボリュームにおいて、当該付加的情報の制御情報が記録されるアドレス可能部分を参照させるよう参照情報が記録されることを特徴とする請求項８に記載の記録担体。
【請求項１０】
参照情報が各付加的情報ボリュームの端部に含まれていることを特徴とする請求項８又は９に記載の記録担体。
【発明の詳細な説明】
【技術分野】
【０００１】
　本発明は、記録担体に情報を記録する方法に関する。かかる方法は、情報ボリュームがその記録担体のトラックのセクタに記録され、当該情報ボリュームは、その記録された情報ボリュームにおける情報探索を制御するために用いられるように企図された情報に対する参照符号を有し、この参照符号は所定のアドレス領域内の１個又は複数個のセクタに格納されるようなものである。
【０００２】
　本発明は、記録担体に情報を記録するための記録装置に関する。かかる装置は、当該記録担体のトラックのセクタへ情報を記録するための記録手段と、所定のフォーマット命令に従って情報ボリュームを構成するためのフォーマット手段であって、当該命令に従って当該情報ボリュームにその情報ボリュームにおける情報探索を制御するために用いられるように企図された制御情報が設けられるようにしたフォーマット手段と、前記制御情報への参照符号が当該情報ボリュームにおける所定アドレス領域における１個又は複数個のセクタに記録されつつ前記記録手段に当該情報ボリュームを記録させるための制御手段とを有するようなものである。
【０００３】
　本発明は、セクタ形式で配設された情報が記録されている記録担体を読み取るための読取装置に関する。かかる読取装置は、当該セクタが、関連するセクタが記録される位置を示すアドレスを有し、所定のアドレスを有する１個又は複数個のセクタがその他のセクタにおいて配設された情報の探索を制御するために用いられるように企図された制御情報に対する参照符号を有し、当該読取装置は、探索されるべきセクタのアドレスを発生するためのアドレス発生手段と、その発生アドレスに基づいて情報を探索するための制御手段とを有するようなものである。
【０００４】
　最後に、本発明は、情報ボリュームが記録担体のトラックのセクタに記録される記録担体に関する。かかる記録担体は、その情報ボリュームが、記録された情報ボリュームにおける情報の探索を制御するために用いられるように企図された制御情報を有し、所定アドレス領域における１個又は複数個のセクタが、当該制御情報への参照符号を有するようなものである。
【背景技術】
【０００５】
　以上述べた種類の方法、装置及び情報担体は、例えば、ＩＳＯ ９６６０標準に記載された、例えばＣＤ−ＲＯＭシステムの名前によって既知である。このＣＤ−ＲＯＭシステムにおいては、いわゆるボリューム記述子（volume descriptor）が、論理セクタ番号１６を有するセクタにより始まるアドレス領域内に制御情報として記録される。このボリューム記述子は、例えば、ディレクトリ（directory）構造を有するいわゆる経路表（パステーブル：path table）のセクタアドレスに対する参照符号と、ディレクトリファイルに対する参照符号とを有している。この経路表とこれらのディレクトリファイルとは、記録された情報ボリューム内に含まれるデータファイルを探索し且つ読み取るために必要な情報を含んでいる。
【０００６】
　追記型（write-once type）の記録担体がＣＤ−ＲＯＭフォーマットに従って構成された情報を記録するために用いられる場合には、新たに加えられたアドレス情報が直ちに見つからないという問題が起こる。言うならば、記録担体に１回しか書き込めないという事実によって、読取動作を制御するために必要な情報に対する参照符号がボリューム記述子内に含まれることができないのである。
【発明の開示】
【発明が解決しようとする課題】
【０００７】
　本発明の目的は、かかる問題点を除去する手段を提供することである。
【課題を解決するための手段】
【０００８】
　方法に関しては、この目的は、前記情報ボリュームの記録の後の時点において、少なくとも次の情報ボリュームが、最後に記録された情報ボリュームの端部に隣接するトラックに記録され、当該次の情報ボリュームは、その関連する情報ボリューム内及び先に記録された情報ボリューム内の情報の探索を制御するために用いられるようにした代用制御情報に対する参照符号を有し、当該制御情報参照符号は、再生可能な代用アドレス領域における１つ以上のセクタに格納される、ことにより達成される。
【０００９】
　記録装置に関しては、上記目的は、当該装置は、少なくとも他の情報ボリューム内の情報の探索のために用いられるようにした他の制御情報を得るための取得手段を有し、前記フォーマット手段は、前記フォーマット命令により当該他の情報ボリュームを構成するようにかつ当該他の情報ボリューム内と先に記録された情報ボリューム内との両方に情報の探索をするためのボリューム制御情報を含ませるように構成されており、前記制御手段は、前記他の情報ボリュームを最後に記録された情報ボリュームの端部に隣接して記録させるよう構成されるとともに、前記制御情報に対する参照符号は、当該他の情報ボリューム内の代用アドレス領域の１個又は複数個のセクタに記録されることにより達成される。
【００１０】
　記録担体に関しては、当該目的は、最初の情報ボリュームに接近して、その関連する次の情報ボリューム内の情報の探索を制御するために用いられるようにされた適合制御情報を有する次の情報ボリュームが少なくとも、当該トラックに記録され、当該次の情報ボリュームが、再生可能な代用アドレス領域における１つ以上のセクタにおいて、当該情報ボリュームと、その関連する情報ボリュームに先行する少なくとも１個の情報ボリューム内との両方における情報の探索を制御するために用いられるようにされた制御情報に対する代用参照符号を有する、ことにより達成される。
【００１１】
　代用参照符号は、次に記録される各情報ボリューム内に含まれるので、情報に対する到達のために必要な制御情報は常に再生できる。
【００１２】
　この代用参照符号は、当該発生アドレスが、前記制御情報参照符号が中に含まれているセクタを表す所定アドレス領域におけるアドレスと一致する場合に、当該発生アドレスの代わりに代用アドレス領域における代用アドレスを代用するための手段を有する、読取装置によって、単純な方法で探索することができる。
【００１３】
　当該代用制御情報を参照させるアドレスは、この読取装置においては当該制御情報を参照させるアドレスに対して代用されるので、このアドレス発生手段における修正は省略されてもよい。その読取装置に含まれるコンピュータシステムのオペレーティングシステムのファイル管理プログラム内に、当該アドレス発生手段が含まれている場合にはこれは特に有利である。これらの修正が高い階層レベル（hierarchical level）においてオペレーティングシステムに影響するので、ファイル管理プログラム内での適合は一般に望ましくない。本発明による装置においては、これら修正はオペレーティングシステムのいわゆるデバイスドライバ(device drivers)での修正と必要な制御ハードウェアの修正とに縮小する制御手段の修正に制限されてもよい。これらの修正は高い階層レベルでオペレーティングシステムに影響せず、且つ従って一般に好適である。
【００１４】
　当該代用参照符号を格納するセクタの領域は、好適にはその参照符号が最初に記録された情報ボリューム内に含まれている領域と等しい。その場合には、その代用参照符号を含んでいる当該１又は複数セクタのフォーマットの、その参照符号を含む最初に記録された情報ボリュームにおける当該１又は複数セクタのフォーマットに対しての１対１のイメージが得られる。必要な制御情報に対する参照符号を含んでいるアドレス領域の大きさが所定のものでない場合には、これは特に有利である。その場合には、この読取装置は、その領域内のアドレスが代用されるべきである場合に当該領域の大きさを決定するようになる。かかる代用制御情報の領域と制御情報の領域とが、最初に記録された情報ボリューム内で同程度に大きい場合には、その領域のこの大きさは、最初に記録された情報ボリュームでの領域の再生能力に基づいて決定され得る。
【００１５】
　アドレス領域の大きさを決定することを容易にするために、アドレス領域の長さを表すアドレス領域情報のセクタに含むか、又はその領域の端部における１のセクタにその端部を示すコードを含むのが好ましい。
【００１６】
　制御情報に対する代用参照符号は再生できる位置に記録されるべきである。この再生能力についての必要条件は、種々の方法で満足させることができる。例えば、必要な制御情報に対する代用参照符号が各次の情報ボリュームの端部に含まれているセクタのアドレスに対する参照符号を含むことによりこれがなされ得る。最後に記録された情報ボリュームの端部は、好ましくは高速読取信号検出によって、検出されたセクタ内に情報が記録されているかどうかを検出することにより、単純な方法で回復可能となる。トラックの記録されたセクタから記録されていないセクタへの遷移は、この時最後に記録された情報ボリュームの端部を指示する。検出されたその端部から当該端部直前のトラック部分までスキップすることにより、かかる参照情報を見つけることができる。
【００１７】
　高速検出による読取信号に基づく最後に記録された情報ボリュームの端部の検出は、この端部が極めて迅速に見つかる点で有利である。
【００１８】
　当該代用参照符号はまた、当該情報ボリュームの始まりに相対的な所定の位置においてセクタに記録された場合には、単純な方法で回復可能となる。その場合には、各情報ボリュームの端部を表している情報に基づいて、代用制御情報が次に記録された情報ボリューム内で探索され得る。
【００１９】
　本発明は、追記型の記録担体に情報を記録しそこから情報を読み取る場合の使用に対して特に優れている。なぜなら、その時修正された制御情報では既に記録された制御情報に重ね書きすることは不可能であるからである。但し、本発明は、再書込可能（rewritable）な種類の記録担体に情報を記録し、且つ再書込可能な種類の記録担体から情報を読み取るために用いることができる。
【発明を実施するための最良の形態】
【００２０】
　以下、図面を参照して実施例を詳細に説明する。
【００２１】
　詳細に本発明を討論する前に、最初に図１〜３を参照して、従来技術のＣＤ−ＲＯＭ（コンパクトディスク読出し専用記憶素子）システムを簡単に説明する。ＣＤ−ＲＯＭシステムは、情報がＩＳＯ ９６６０標準に記載されたようなＣＤ−ＲＯＭ標準に従って記録された光学的に読み取れるディスクと、そのディスクを読み取るためのＣＤ−ＲＯＭ読取装置とを有している。このディスクに記録された情報は、主情報とサブコード情報とを有している。そのサブコード情報は、サブコードフレームに細分されている。その主情報は、当該サブコード情報のサブコードフレームの長さと一致する長さを有する、いわゆるセクタに細分化されている。図１は、ＣＤ−ＲＯＭディスクのトラック１０のレイアウトを模式的に示している。このトラックは、ＬＩで表されるいわゆるリードイン（lead-in）部と、ＰＡで表されるプログラム領域と、ＬＯで表されるリードアウト(lead-out)部とを有する。これらリードイン部ＬＩ、プログラム領域ＰＡ及びリードアウト部ＬＯから構成されている組み合わせは、今後、情報ボリュームと表される。プログラム領域ＰＡは、ユーザ情報を記憶するために予定されている。プログラム領域ＰＡ内の主たる情報は、サブコードフレームの長さと一致する長さを有するいわゆるセクタに細分されている。プログラム領域ＰＡ内のサブコードフレームの各々は、関連するサブコードフレームがプログラム領域ＰＡの始まりに相対的に記録される位置を表す絶対時間コードを有している。セクタも、当該セクタと一緒に記録されるサブコードフレーム内にその絶対時間コードに相当する絶対時間コードを有している。プログラム領域ＰＡは、主情報が中に記録されておらず、且つ読み出しに同期させるために用いられ得る、ＰＧで表されるいわゆるプレギャップ(pregap)を有する。このプレギャップＰＧは、絶対時間コード0'.0".0 〜0'.2".0により表される長さにわたって延在している。このプレギャップは、このシステムにより用いるために確保された、いわゆるシステム領域(system area)により追随されている。0'.2".0 から0'.2".16まで延在しているこのシステム領域は、記号ＳＡにより表されている。このシステム領域ＳＡは、各ＣＤ−ＲＯＭディスク上の0'.2".16において始まるＶＤで表される、いわゆるボリューム記述子(volume descriptor)により追随されている。ボリューム記述子ＶＤの長さは固定されていないが、そのＣＤ−ＲＯＭの選択された使用に依存している。
【００２２】
　但し、そのボリューム記述子ＶＤは、その長さについての情報を有しており、且つ更にその上、当該ボリューム記述子ＶＤの端部を表すコードパターンにより終結されている。プログラム領域ＰＡは更に、ＰＴで表されるいわゆる経路表(path table)と、ＤＦで表される１個又は複数個のいわゆるディレクトリファイル(directory file)と、Ｆ１，…，Ｆｎで表されるユーザファイルとを含んでいる。経路表ＰＴは、そのディスクに記憶された情報のディレクトリ構造についての情報を有する。この経路表は、更にディレクトリファイルＤＦのセクタアドレスに対する参照符号を含んでいる。図１においては、ディレクトリファイルＤＦへの初期アドレスからの参照符号が線１１により表されている。ボリューム記述子ＶＤは、経路表ＰＴが中に記憶されているセクタのアドレスに対しての、線１２により表される参照符号を有する。ディレクトリファイルは、関連するディレクトリ内に記憶されたユーザファイルの構造についての情報と、関連するディレクトリのユーザファイルが中に記憶されているセクタのアドレスに対しての、線１３及び１４により表された参照符号とを有する。経路表とディレクトリファイルとは、ユーザファイルＦ１，〜，Ｆｎを探索するために必要な制御情報を有する。
【００２３】
　図２は、ＣＤ−ＲＯＭディスク２０を読み取るためのＣＤ−ＲＯＭ読取装置を図式的に示している。このＣＤ−ＲＯＭ読取装置は、出力端子がデータ信号経路２３を通して読取情報を伝送するための普通のコンピュータシステムのシステムバス２４へ接続されているＣＤプレーヤ２１を有する。更に、中央処理装置２５、ＲＯＭ２６、ＲＡＭ２７及び１又は複数個の情報再生装置２８は、システムバス２４へ接続されている。
【００２４】
　ＣＤプレーヤ２１は、制御信号経路２９を通して受信されるセクタアドレスに基づいて情報を探索するための制御ユニット２２を有する。この制御信号経路２９は、システムバス２４へも接続されている。
【００２５】
　中央処理装置２５に対するソフトウェアは、ＲＯＭ２６内にロードされている。このソフトウエアは、いわゆるオペレーティングシステムを慣例的に有する。例えば、当該システムバスへ接続された設備機器の各部間のデータ伝送を制御し且つ監視することは、オペレーティングシステムのタスクである。
【００２６】
　図３は、例えばＯＳ９オペレーティングシステムのような普通のオペレーティングシステムの構造を図式的に示している。このようなオペレーティングシステムは、ＫＲで表される核（kernel）と、ＦＭで表されるファイル管理プログラム、及びＤＲで表されるデバイスドライバを有する。情報がディスクに存在するファイルから望ましく読み取られる場合には、この核は、入出力要求をファイル管理プログラムＦＭへ送る。受信された入出力要求に基づいて、ファイル管理プログラムは、どのセクタを読み出すべきであるかを決め、且つディスクのどのセクタが読み出されるべきであるかを、論理セクタ番号ＬＳＮによって、デバイスドライバへ指示する。この論理セクタ番号は、ディスク２０のセクタ内の絶対時間コードには匹敵はしない。しかしながら、論理セクタ番号ＬＳＮと絶対時間コードとの間には固定された関係がある。この関係は次の通りである。絶対時間コードMIN'.SEC".FRに対して、LSN＝(((MIN×60)＋SEC)×75＋FR)である。これは、システム領域ＳＡの最初のセクタがＬＳＮ＝０で表され、且つボリューム記述子ＶＤの最初のセクタがＬＳＮ＝１６で表されることを意味する。受信された論理セクタ番号ＬＳＮに基づき、デバイスドライバは、制御ユニット２２に対して必要な制御信号を得、そのユニットがこれらの制御信号に応答して所望のセクタを探索し、これを読み取る。
【００２７】
　要求されたユーザファイル、例えばファイルＦ１へのアクセスが得られる前に、ボリューム記述子ＶＤ、経路表ＰＴ、及びディレクトリファイルＤＦの情報が読み出されている必要がある。この読取動作は、ログオン手順中と当該核によりこれの結果になされる入出力要求への反応内との両方又はいずれか一方に行われる。この動作中に、ファイル管理プログラムは、デバイスドライバへ対応の論理セクタ番号ＬＳＮを送る。
【００２８】
　上述のＣＤ−ＲＯＭシステムにおいては、既に記録された情報に対してもっと後の瞬間において拡張された情報は読み出され得ない。全部のＣＤ−ＲＯＭディスクが読取専用型であったので、後になってそのディスクへ情報を加えることは不可能であったから、最近までこれは問題ではなかった。しかしながら、記録装置はそうしている間に発達させられ、その装置では追記型ディスク上へＣＤフォーマットに従って情報を記録することが可能である。このようなディスクは、ＣＤ−ＲＯＭ読取装置により読み出されることもできる。前述の記録装置と追記型記録担体のより詳しい説明に対しては、オランダ国特許出願公開第ＮＬ−Ａ−８７００６５５号明細書及びオランダ国特許出願公開第ＮＬ−Ａ−８８００１５２号明細書を参照されたい。前述の記録装置によると、もっと後の瞬間において既に記録された情報ボリュームの次に情報を記録することが可能である。しかしながら、記録担体が追記型の記録担体であるという事実によって必要な情報が経路表及びディレクトリファイル内に含まれ得ないので、この情報は現存するＣＤ−ＲＯＭ読取システムによりアクセスされ得ない。
【００２９】
　次に、図４と図５とを参照して、前述の問題に対処することのできる本発明による読取装置及び記録担体の実施例を説明する。
【００３０】
　図４は、ディスク２０におけるのトラック１０のレイアウトを図式的に示している。このトラックは、図１を参照して説明されたのと同じ様式で記録される、リードイン部ＬＩ１、プログラム領域ＰＡ１及びリードアウト部ＬＯ１を有する第１情報ボリュームＶＯＬ１を有する。この情報ボリュームＶＯＬ１に隣接して第２情報ボリュームＶＯＬ２がもっと後の瞬間において記録される。この第２情報ボリュームＶＯＬ２も、ＬＩ２で表されるリードイン部と、ＰＡ２で表されるプログラム領域と、ＬＯ２で表されるリードアウト部とを有する。プログラム領域ＰＡ２内の情報も、プログラム領域ＰＡ１内の情報と同じような様式で配置される。言い換えれば、システム領域ＳＡ２とボリューム記述子ＶＤ２とが当該プログラム領域の始まりから所定距離をおいて位置付けられる。図４においては、システム領域ＳＡ２の始まりは、論理セクタ番号ＬＳＮ＝ｏｆｆｓにより表されている。ボリューム記述子ＶＤ２の始まりは、論理セクタ番号ＬＳＮ＝ｏｆｆｓ＋１６により表されている。ボリューム記述子ＶＤ２の終端部は、論理セクタ番号ＬＳＮ＝ｏｆｆｓ＋ＳＺにより表されている。このボリューム記述子ＶＤ２は、第１情報ボリューム内のボリューム記述子ＶＤ１と同じフォーマットを有している。しかしながら、ボリューム記述子ＶＤ２は、ボリューム記述子ＶＤ１とは異なる長さを有してもよい。この点については、ＩＳＯ ９６６０標準に強調されるように、かかるボリューム記述子は、最初の（主たる）ボリューム記述子に加えて任意の数の補足的ボリューム記述子を有するようにしてもよい。ＶＤ１及びＶＤ２ボリューム記述子のための補足的ボリューム記述子の数に対しては、等しいことは必要ではない。しかしながら、ボリューム記述子ＶＤ２の長さはボリューム記述子ＶＤ１の長さを超えてはならない。この理由は、この記載の中で更に説明されるであろう。ボリューム記述子ＶＤ２は、プログラム領域ＰＡ２に含まれる経路表ＰＴ２のセクタアドレスに対する参照符号を有する。この経路表は、第１及び第２情報ボリューム内のＦ１,…，Ｆ６で表される全部のユーザファイルを含むディレクトリの構造についての情報を有する。更にその上、経路表ＰＴ２は、ディレクトリファイルに対する参照符号を有する。これらディレクトリファイルは、関連するディレクトリ内に含まれるユーザファイルの構造と、これらユーザファイルのアドレスに対する参照符号とについての情報を有する。後者の参照符号は、図４においては参照番号４０，４１及び４２により表されている。図４に示されたディスクのレイアウトについての実施例においては、ボリューム記述子は、情報ボリュームＶＯＬ１及びＶＯＬ２の両方の内の全部のユーザファイルＦ１,…，Ｆ６をアクセスするために必要な情報を伴うディレクトリファイル及び経路表に対する参照符号を有する。
【００３１】
　一般に、経路表とディレクトリファイルとは全て、最後に記録された情報ボリューム内に含まれることになる。但し、原理的には、その代わりとして当該情報がこの情報ボリューム内に含まれないセクタ内に部分的又は全体的に記録されることが可能である。必要な情報に対する参照符号を有することのみが、情報ボリュームに対しては必要である。別の情報ボリュームが情報ボリュームＶＯＬ２に隣接してさらに記録されてもよい。これが実行された場合には、いつも最後に記録された情報ボリュームが、ディレクトリ構造と、関連する情報ボリューム及び少なくとも一部、しかし好適には全部の前に記録された情報ボリュームにおける全てのユーザファイルについてのディレクトリファイルに対する参照符号とに関する情報を含んでいる経路表に対する参照符号を有するボリューム記述子を含むものとなる。
【００３２】
　図５は、全ての情報ボリュームにおける全部のユーザファイルに対してアクセスが得られるオペレーティングシステムのデバイスドライバにおける改変例を示している。この改変例は、ファイル管理プログラムから受信した論理セクタ番号ＬＳＮが領域０〜ＳＺ内に置かれたかどうかを検出するための検出ステップＳ１を有する。この領域は、第１情報ボリュームＶＯＬ１内のボリューム記述子ＶＤ１のセクタアドレスを含んでいる。受信された論理セクタ番号ＬＳＮが前記領域内に置かれている場合には、ステップＳ２が実行される。このステップにおいては、受信された論理セクタ番号がそこへｏｆｆｓの値を加えることにより修正される。これにより、ボリューム記述子ＶＤ１へのアクセス要求がある場合には、ボリューム記述子ＶＤ１の代わりにボリューム記述子ＶＤ２へのアクセスがなされることが必要となる。ボリューム記述子ＶＤ２を介して経路表ＰＴ２内に存在する全部の必要な情報と、情報ボリュームＶＯＬ１及びＶＯＬ２の両方における全部のユーザファイルを探索するためのディレクトリファイルＤＦ１′,ＤＦ２′及びＤＦ３′へのアクセスが得られるので、このディスク上の全部のユーザ情報がアクセスできる。
【００３３】
　論理セクタ番号を適切に修正するために、ｏｆｆｓとＳＺとの値がデバイスドライバにおいて知られなくてはならない。これらの値が当該読取装置のオペレータに知られている場合には、これらの値は、例えばキーボードによって普通の様式で当該オペレータにより読取システムへ供給されてもよい。
【００３４】
　しかしながら、ディスクは、後ほど記録された情報ボリュームのボリューム記述子のセクタアドレスに対する参照符号を有するのが好ましい。これは、引き続き記録される情報ボリュームの各々の、例えばサブコード情報内の如きリードアウト部内においてシステム領域SAの始まりのセクタアドレスに対する参照符号を含むことにより、達成され得る。
【００３５】
　図６は、３つの情報ボリュームＶＯＬ１，ＶＯＬ２及びＶＯＬ３が記録されているトラック１０のレイアウトを図解によって示している。対応の情報ボリュームのリードアウト部ＬＯ１，ＬＯ２及びＬＯ３内のボリューム記述子ＶＤ１，ＶＤ２及びＶＤ３のセクタアドレスに対する各参照符号が、線６０，６１及び６２により表されている。リードアウト部ＬＯは、情報ボリュームの端部に置かれている。最後に記録された情報ボリュームのリードアウト部は、情報が記録されているトラック部分から情報がまだ記録されていないトラック部分への遷移を探索することにより単純に見つけることができる。この詳細な説明に対しては、欧州特許出願第９１２００７６４．８号明細書を参照されるべきで、その明細書は参考としてこの説明に含まれているとみなす。図８は、最後に記録された情報ボリュームの端部を検出するための手段を有する読取装置を図式的に示している。図示の装置は、軸線８０の周りにディスク２０を回転させるための駆動モータ８１を含む慣例的な駆動ユニットを有している。回転しているディスク２０に対向して光学読取ヘッド８２が配置され、その光学読取ヘッドは半径方向駆動ユニット８３によってディスク２０に対して半径方向に動き得る。この駆動ユニット８３により生じる移動は、制御ユニット２２により普通の様式で制御される。信号経路８４を通して、読取ヘッド８２は、読取ヘッド８２により検出された情報パターンに従って変調される読取信号を発生する。この読取信号は、普通の信号処理ユニット８５を介して、システムバス２４へ結合された信号経路２３へ供給される。この読取信号は、検出回路８６へも印加される。この検出回路８６は、読取信号内の高周波成分の存在が確立され得る種類のものである。
【００３６】
　図９は、読取ヘッド８２により発生された信号を受信するために入力端子がこの読取ヘッド８２へ結合されている高域通過フィルタ５０を有する検出回路８６の一つの態様を例によって示している。高域通過フィルタ５０の出力端子は、整流回路５１へ結合されている。この整流回路５１の出力端子は、この整流回路５１により発生された信号を基準値Ｅrefと比較するための比較回路５２へ結合されている。情報パターンが読取ヘッド８２により検出される記録担体のセクタ内に存在する場合には、この読取ヘッド８２により発生される信号は、高域通過フィルタ５０により通過され且つそれから整流回路５１により整流されるべき高周波信号成分を有することになる。情報パターンが存在する場合には、整流回路５１の出力信号は、基準値Ｅrefを超える比較的大きい直流電圧成分を有し、また比較回路５２は、この読取ヘッドの出力信号が高周波成分を有することを表し、もって情報がディスク２０の検出されたセクタ内に記録されてしまったことを表す信号を発生することになる。
【００３７】
　検出回路８６の出力信号は、読取装置の制御ユニット２２へ印加される。この制御ユニット２２は、最後に記録された情報ボリュームの端部において参照情報を探索するための適当な制御プログラムがロードされた、普通の種類のマイクロコンピュータを有するものとすることができる。適当な制御プログラムの一実施例のフローチャートは、図１０に示されている。このプログラムは、駆動ユニット８３が、制御ユニット２２の制御の下に当該トラックの始まりから記録担体２０の半径方向に沿って読取ヘッド８２を動かすステップＳ２１を有する。ステップＳ２２においては、検出回路８６の出力信号に応答して、情報が読取ヘッドにより検出されたディスク２０のセクタ内に記録されてしまったかどうかが検出される。検出されたセクタ内にもはや情報が記録されていないことを、検出回路８６の出力信号が示したらすぐに、読取ヘッド８２の移動はステップＳ２３において停止され、且つ読取ヘッドは最後に記録された情報ボリュームのリードアウト部の始まりの近くへ反対方向に動かされる。続いて、ステップＳ２４が実行された場合には、リードアウト部内に含まれる参照情報が読み出される。この参照情報は、ｏｆｆｓの値を表している。それから、ステップＳ２５が実行されると、読取参照情報により表されるボリューム記述子が探索され、且つＳＺの値がこのボリューム記述子が読み出された場合に決定される。この値は、例えばそのボリューム記述子内に含まれるボリューム記述子の長さについての情報によって決定されてもよい。その代わりとしては、そのボリューム記述子の端部に置かれた、いわゆるボリューム記述子設定終止符（volume descriptor set terminator）を検出することにより、当該ボリューム記述子の端部を検出することも可能である。
【００３８】
　前述した検出手順に従って、情報ボリュームのボリューム記述子に対する参照符号は、関連する情報ボリュームのリードアウト部に含まれる。
【００３９】
　次の情報ボリュームが記録される場合に、ボリューム記述子の記録のために用いられるべきアドレスに対する参照符号を、各記録された情報ボリューム内に含むことも可能である。図６には、これらの参照符号が線６３，６４及び６５により示されている。
【００４０】
　図７は、各情報ボリュームのボリューム記述子が、当該ボリューム記述子が次の情報ボリューム内に記録されているセクタのアドレスに対する参照符号を有する、記録担体に対するｏｆｆｓとＳＺとの値を決定するためのプログラムの一実施例を示している。このプログラムのステップＳ１０において、ｏｆｆｓの値と副変数Ｈｏｆｆｓの値とが０に等しくされる。ステップＳ１０はステップＳ１１により引き継がれ、ここではボリューム記述子ＶＤのアドレスの論理セクタ番号は、ｏｆｆｓの瞬時値が示されていることを表している。ステップＳ１１に続いて、ステップＳ１２においては、論理セクタ番号ＬＳＮにより表されるセクタが探索される。それから、ステップＳ１３において、情報がその表されたセクタ内に記録されているかどうかが確認される。記録されている場合には、ステップＳ１４においてｏｆｆｓの値がＨｏｆｆｓの値と等しくされる。続いてステップＳ１５においては、ＬＳＮの瞬時値により表されるボリューム記述子が読み出され、次の情報ボリュームのボリューム記述子の論理セクタ番号がこのボリューム記述子に対する参照符号に基づいて決定され且つＨｏｆｆｓへ割当てられる。それから、ステップＳ１６において、ＳＺの値が決定される。これは当該ボリューム記述子内に含まれるボリューム記述子の長さについての情報に基づいて達成されてもよい。しかしながら、これはいわゆるボリューム記述子設定終止符により表されるボリューム記述子の端部を検出することにより達成されてもよい。ステップＳ１６の後にステップＳ１１が再び実行される。ステップＳ１１〜Ｓ１６により形成されるプログラムループが、ステップＳ１３の実行の間にＬＳＮの瞬時値により表されるセクタがいかなる情報をも含まないことが確立されるまで、循環的に実行される。これは、情報を有するトラック部分の端部を過ぎて位置づけられているセクタが検出されたことの表示である。ｏｆｆｓの値は、最後に記録された情報ボリュームのボリューム記述子の論理セクタ番号の値を表している。ＳＺの値はこのボリューム記述子の長さを表している。この長さは最初に記録された情報ボリューム内のボリューム記述子の長さより小さくすべきである。そうでない場合には、これは、当該ボリューム記述子の端部を過ぎて位置づけられているセクタの論理セクタ番号を有するセクタが最初の情報ボリューム内に設置されているが、しかしＳＺの値より小さく且つもはやアクセスできないことを意味する。この点に関し、そのようなセクタへのアクセス要求は、最後に記録された情報ボリューム内のボリューム記述子のセクタへアクセスするに至らせることになる。
【００４１】
　図１１は、本発明による記録装置の一実施例を示している。この記録装置は、中央処理装置１１１と、ＲＡＭ１１２と、ＲＯＭ１１３とを有する普通の種類のコンピュータシステム１１０を有する。中央処理装置１１１と、ＲＡＭ１１２と、ＲＯＭ１１３は相互データ伝送のためのシステムバス１１４へ接続されている。この記録装置は更に、追記型のディスク７０上へ情報を書き込むための書込ユニットを含んでいる。この書込ユニット１１５は、記録されるべき情報を受信し読み出された情報を供給するためのデータ信号経路７５と９７を通してシステムバス１１４へ接続されている。この書込ユニット１１５は、書込動作を制御するための制御ユニット９３を有する。この制御ユニットは、制御ユニット９３とコンピュータシステム１１０との間の制御命令及び制御データの交換のために、制御信号経路９８及び９９を通してシステムバス１１４へ接続されている。
【００４２】
　図１２は、例えばＣＤ−Ｉ，ＣＤ−ＲＯＭ，ＣＤ−ＲＯＭ ＸＡ及びＰＨＯＴＯ−ＣＤ信号のようなＣＤ信号を記録するのに適した書込ユニット１１５の一実施例を示している。この図面においては参照符号７０は光学的追記型のＣＤ−ＷＯ型記録担体を表している。そのような記録担体は、オランダ国特許出願公開第ＮＬ−Ａ−８７００６５５号明細書、オランダ国特許出願公開第ＮＬ−Ａ−８８００１５２号明細書、オランダ国特許出願公開第ＮＬ−Ａ−８９０１２７５号明細書及びオランダ国特許出願公開第ＮＬ−Ａ−８９０１１４５号明細書に詳細に記載されており、それらの明細書は参考としてこの説明に含まれているとみなす。
【００４３】
　これらの出願公開明細書内に記載された記録担体は、周波数が絶対時間コード信号の形態での位置情報信号に従って変調される周期的トラック変調を示する螺旋状トラックを有する。
【００４４】
　図１２に示された書込ユニット１１５は、回転様式で軸線７３の周りに記録担体７０を動かすための駆動モータ７２を有する。普通の種類の光学的読取／書込ヘッド７１は、回転する記録担体７０に対向して配置されている。光学的読取／書込ヘッド７１は、例えばリニアモータ又はスピンドル装置を有する半径方向移動ユニット７４によって半径方向に動くことができる。ＣＤ−ＲＯＭフォーマットに従ってフォーマットされた情報が、データ信号経路７５を通して供給される。このＣＤ−ＲＯＭフォーマットは、例えばＩＳＯ−９６６０標準に記載されている。データ信号経路７５を通して供給された情報は、普通のＣＩＲＣエンコーダ７６の助けにより受信情報を整え直して、誤り修正目的のために冗長な情報を加え、それから普通のＥＦＭ変調装置７７によってその情報をＥＦＭ変調された信号に変換する入力段９２へ供給される。かかるＥＦＭ変調信号は、当該ＥＦＭ変調信号を読取／書込ヘッド７１に使用される書込レーザに適する制御信号に変換するレーザ制御回路７８へ供給される。
【００４５】
　そのような制御回路７８に適する態様は、オランダ国特許出願公開第ＮＬ−Ａ−９９００２２３号明細書に詳細に開示されており、その明細書は参考としてこの説明に含まれているとみなす。情報を再生し且つ読み出された情報を供給する目的のために、出力段９４が読取／書込ヘッド７１とデータ信号経路９７との間に挿入されている。情報再生のためにその出力段は、この情報用の慣例的なＥＦＭ復調装置９５とＣＩＲＣデコーダ９６とを有する。例えば前述のオランダ国特許出願公開第ＮＬ−Ａ−８８００１５２号明細書に記載されている普通の種類のＡＴＩＰ検出器７９は、この読取／書込ヘッド７１の出力端子へ結合されている。このようなＡＴＩＰ検出器７９は、この読取／書込ヘッドにより生成された検出信号からそのトラックの検出された部分におけるＦＭトラック変調により表現される絶対時間コードを再生する。更に、記録担体７０がこの読取／書込ヘッド７１により検出される速度に相当する周波数を有する速度信号をＡＴＩＰ検出器７９が生成する。この速度信号はモータ制御回路９０へ供給され、そのモータ制御回路へは更にクロック発生器９１により、基準周波数を有するクロック信号が供給される。このモータ制御回路９０は、その速度信号の周波数が当該基準クロック信号の周波数と等しく実質的に維持されるような方法で駆動モータ７２を制御する普通の種類のものである。このようなモータ制御回路９０は、例えば速度信号と基準クロック信号との間の位相差に応答してモータを駆動する、いわゆるＰＬＬモータ速度制御回路から構成されてもよい。
【００４６】
　図１２に示された装置は更に、まだ記録されていないトラック部分の始まりが探索される場合に、読取／書込ヘッド７１により読み出された信号中の高周波信号成分を検出するために、例えば図９に示された種類の検出回路９６を含んでいる。
【００４７】
　入力段９２による当該ＥＦＭ変調信号の供給に同期する目的のために、クロック信号発生器９１の出力端子も、ＣＩＲＣエンコーダ７６とＥＦＭ変調装置７７とのクロック入力端子へ結合されている。最後に、図１２に示された装置は、記録及び読取動作を制御するために制御ユニット９３を有する。ＥＦＭ変調装置７７へサブコード情報を供給するために、この制御ユニット９３がＥＦＭ変調装置７７のサブコード入力端子へ結合されている。書込ユニット１１５は、更に読取／書込ヘッド７１により生成された読取信号から主情報及びサブコード情報を再生するために、信号処理回路を含んでいる。読取信号からサブコード情報を受信するために、制御ユニット９３がＥＦＭ復調装置９５のサブコード出力端子に結合されている。この制御ユニットは更にＡＴＩＰ検出器７９により生成された絶対時間コードの恩恵のために、ＡＴＩＰ検出器７９の出力端子に結合されている。制御ユニット９３は、読取／書込ヘッドの半径方向の移動を制御するために半径方向移動ユニット７４に結合されている。更に、制御ユニット９３は、読取又は書込モードへこの装置を設定するためのレーザ制御回路７８に結合されている。
【００４８】
　図１３は、次の情報ボリュームを記録するためにコンピュータシステム１１０において利用できるプログラムのフローチャートを示している。このプログラムは、コンピュータシステムが最後に記録された情報ボリュームからボリューム記述子と経路表とディレクトリファイルとを読み取るために、制御信号経路９８を通って制御ユニットへ制御命令を与える手順Ｐ１を有する。この読取情報は、ＲＡＭ１１２へ複写される。手順Ｐ１は、手順Ｐ２により引き継がれる。手順Ｐ２においては、新しいユーザファイルが普通の様式で作り出され且つＲＡＭ内へフォーマットされて一時的に記憶される。それに加えて、当該経路表及びディレクトリファイルは、新しく作り出されたユーザファイルについての情報により拡張される。それから、手順Ｐ３において、この新しく作り出されたユーザファイルがディスク７０上のいわゆるトラック内に記録される。ステップＳ３０において、当該情報ボリューム内にその他のトラックが記録されるべきであるかどうかが確認される。そうである場合には、ステップＳ３０は手順Ｐ２により引き継がれる。そうでない場合には、修正されたボリューム記述子と、経路表と、ディレクトリファイルとがディスク７０に記録される手順Ｐ３が実行される。続いて、手順Ｐ４の実行の間に、リードイン情報は、関連する情報ボリュームのリードイン部へ、リードアウト情報は、関連する情報ボリュームのリードアウト部へ記録される。
【００４９】
　図１４は、上記手順Ｐ１の一実施例のフローチャートを示している。この手順Ｐ１は、ｏｆｆｓの値が、例えば図７に示したようなステップＳ１０〜Ｓ１６を有するプログラム又は図１０に示したようなステップＳ２１〜Ｓ２５を有するプログラムによってなされるように決定される手順Ｐ１０を実行することにより始められる。一旦手順Ｐ１０が実行されると、ステップＳ４０において書込ユニット内に存在するディスクがまだ完全に空白（ブランク）であるかどうか、又は１個若しくは複数個の情報ボリュームがそのディスクに記録されてしまったかどうかが確認される。図７に示されたプログラムが実行される場合には、例えばｏｆｆｓ及びＨｏｆｆｓの値に基づいて、これが決められてもよい。完全に空白なディスク７０の場合には、図７のプログラムは、ステップＳ１３での試験が最初になされてしまった後に決定されることになる。これは、プログラムが終結された場合にｏｆｆｓ及びＨｏｆｆｓの値が零に等しいことを意味し、値のその組み合わせはまだ記録されていないディスク７０においてのみ起こる。その代わりに、手順Ｐ１０が実行されている間に、情報が既にディスク７０に存在しているかどうかを確認し、且つ、その後にディスク７０がまだ記録されていないことを示すフラグを配置することも可能である。ステップＳ４０の実行の間に、情報ボリュームがディスク７０に既に記録されてしまったことが確立されている場合には、ｏｆｆｓの値により表されるボリューム記述子がステップＳ４１において読み出され且つ内容がＲＡＭ１１２へ複写される。
【００５０】
　これに続き、ステップＳ４２が実行されると、経路表の論理セクタ番号が、読み取られたボリューム記述子に基づいて決定され、経路表が読み出される。読み出された経路表の内容はＲＡＭ１１２へ複写される。更に、ステップＳ４３において、ディレクトリファイルの論理セクタ番号が、読み出された経路表に基づいて決定され、これらのディレクトリファイルが読み出される。ディレクトリファイルの内容は、再びＲＡＭ１１２へ複写される。ステップＳ４３が実行されてしまうやいなや、手順Ｐ１は終結される。
【００５１】
　ステップＳ４０においてディスク７０がまだ完全に空白であることが確立された場合には、このステップはステップＳ４４に引き継がれ、そのステップにおいて新しいボリューム記述子が生成されて、ＲＡＭ１１２に記憶される。
【００５２】
　図１５は、手順Ｐ２の一実施例を示している。この手順は、ステップＳ５０を有し、そのステップにおいてユーザファイルが作り出され、フォーマットされ且つ普通の様式でＲＡＭ１１２に記憶される。続いて、ステップＳ５１において、次のユーザファイルが作り出されるべきトラックへ加えられるべきかどうかが確認される。そうである場合には、ステップＳ５０がもう一度実行される。そうでない場合には、ステップＳ５２が実行され、そのステップにおいて記録されるべき情報ボリュームの１個又は複数個のトラックが実際に記録されてしまったかどうかが確認される。関連する情報ボリュームに対してトラックがまだ記録されていなかった場合には、ステップＳ５３が実行される。このステップにおいて、ＲＡＭ１１２に記憶されたユーザファイルが記録される。これらユーザファイルは単一トラックとして記録される。先の情報ボリュームの端部から特定の距離に置かれたセクタにおいて、この記録は開始される。この距離は、最後に記録された情報ボリュームの端部と新しく記録されるトラックの始まりとの間にリードイン部ＬＩを導入するため、及びボリューム記述子、経路表及びディレクトリファイルを導入するために、十分大きく選択されなければならない。図１６ａは、新しい情報ボリュームの最初に記録されたトラックの位置を図解によって示している。この図面において、最後に完全に記録された情報ボリュームはＶＯＬｎ−１で表されている。記録されるべき新しい情報ボリュームＶＯＬｎの最初に記録されるトラックはＴＲＣＫ Ａで表されている。このトラックは、ユーザファイルＦ１′，Ｆ２′，Ｆ３′，Ｆ４′及びＦ５′を有する。
【００５３】
　トラックＴＲＣＫ Ａが記録されてしまうやいなや、ＲＡＭ１１２内に存在する経路表とディレクトリファイルとの複写情報が、ステップＳ５４の実行の間に、新しく記録されたユーザファイルＦ１′，…，Ｆ５′のデータによって修正される。
【００５４】
　ステップＳ５４が実行されてしまった後に、手順Ｐ２は終結される。
【００５５】
　手順Ｐ２がもう一度実行されると、ステップＳ５２が実行されている場合に、記録されるべき情報ボリュームＶＯＬｎのトラックが実際に記録されてしまったことが確立されることになる。その場合には、ステップＳ５２は、ステップＳ５５により引き継がれ、そのステップにおいて次のトラックが既に記録されたトラックＴＲＣＫ Ａに隣接して記録される。図１６ｂは、ＴＲＣＫ Ａ＋１で表されるこの次のトラックを示している。このトラックも、Ｆ６′，Ｆ７′及びＦ８′で表される１個又は複数個のユーザファイルを有する。ステップＳ５５を実行し終えると、ステップＳ５４は、再び実行されて、そのステップにおいて当該経路表とディレクトリファイルとの複写情報が、トラックＴＲＣＫ Ａ＋１内に記録されたユーザファイルについての情報により修正される。ステップＳ５４が実行されてしまった後に、手順Ｐ２は再び終結される。このトラック内に記録されるべき別のユーザファイルが必要無い場合には、手順Ｐ３が手順Ｐ２に続いて開始されることになる。この手順においては、ボリューム記述子と、経路表と、ディレクトリファイルとが、最後に記録された情報ボリュームＶＯＬｎ−１の端部と記録されるべき新しい情報ボリュームＶＯＬｎ内のユーザファイルを有する最初のトラック（ＴＲＣＫ Ａ）の始まりとの間のトラックＴＲＣＫ Ａ−１内に記録されることになる。
【００５６】
　トラックＴＲＣＫ Ａ−１の記録を開始する前に、ボリューム記述子と経路表とディレクトリファイルとを記録しようとするトラックＴＲＣＫ Ａ−１のセクタのセクタアドレスが決定され、且つそのボリューム記述子と経路表とにおける参照情報がこれらのセクタアドレスに従って修正されることになる。
【００５７】
　図１７は、手順Ｐ３の一実施例のフローチャートを示している。この手順は、ステップＳ６０により始められ、そのステップにおいてボリューム記述子の最初のセクタの論理セクタ番号が、最後に記録された情報ボリュームのリードアウト部内の最後のセクタの論理セクタ番号を表す情報に基づいて決定される。続いて、ステップＳ６１において、経路表とディレクトリファイルとに係る最初のセクタの論理セクタ番号が、当該ボリューム記述子の最初のセクタの論理セクタ番号と当該ボリューム記述子のサイズと、経路表と、ディレクトリファイルとに基づいて決定される。それから、ステップＳ６２において、経路表とディレクトリファイルとのそれぞれ始まりに対する当該ボリューム記述子と当該経路表とにおける参照情報が修正される。ボリューム記述子は、必要に応じて、次に記録されるべき情報ボリュームのボリューム記述子の記録のために企図されたセクタに対する参照符号を有するようにしてもよい。ステップＳ６２の後にステップＳ６３が実行される。このステップにおいて、トラックＴＲＣＫ Ａ−１に先立つプレギャップとＴＲＣＫ Ａ−１それ自身とが記録セッションの間に記録される。この記録は、トラックＴＲＣＫ Ａ−１がトラックＴＲＣＫ Ａの始まりに続けられるようにするのが好適である。最後のディレクトリファイルとトラックＴＲＣＫ Ａの始まりとの間のトラック部分は、ダミー情報を有するセクタ、例えば「０」ビットのみを有するセクタにより満たされてもよい。ステップＳ６３を実行し終わると、手順Ｐ３は終結され且つ手順Ｐ４が始められる。
【００５８】
　図１８は、手順Ｐ４の一実施例のフローチャートを示している。この手順は、最初のステップＳ７０を有し、そのステップにおいてＣＤ標準により規定されたフォーマットに準拠したいわゆる内容の表（ＴＯＣ：Table Of Contents）がその情報ボリューム内に含まれるトラックの最初のアドレスから組み立てられる。続いて、ステップＳ７１があり、ここで当該ＴＯＣをその記録される情報のサブコード内に含ませつつ、情報がリードイン部ＬＩｎ（図１６ｄ参照）に記録される。それから、ステップＳ７２においてリードアウト情報がリードアウト部ＬＯｎ内へ記録される。情報ボリューム内に含まれるボリューム記述子の最初のアドレスに対する参照符号をこの時必要に応じて含めてもよい。情報がリードイン部とリードアウト部とに記録されてしまった後に、当該情報ボリュームの記録が終結されてしまい、且つこのディスク７０は、本発明による読取装置によって読み取るのに適したものとなる。
【００５９】
　以上、情報ボリュームが多数の個別の記録セッションにおいて記録されるべき多数のトラックを有する場合の装置と方法とを説明した。すでにメモリ内にある情報ボリューム内に含まれるべき全部の情報を有し、且つその時単一の記録セッションにおいて完全な情報ボリュームを記録することも代わりに可能であることは言うまでもない。
【００６０】
　前述においては、次に記録されるべき情報ボリュームに対するボリューム記述子を、最後に記録された情報ボリュームから読み出されたボリューム記述子を適合させることにより得ている。その代わりに、このボリューム記述子を毎回新たに組み立てることも可能である。
【００６１】
　各々新しいボリューム記述子が、探索動作を制御するために必要な情報を利用可能とするファイルに対する参照符号を含むことのみが重要である。ボリューム記述子により参照される情報は、そのボリューム記述子が生じるものと同じ情報ボリューム内に、記録される必要はない。
【００６２】
　前述の実施例は、ＣＤ−ＲＯＭ標準に従ってフォーマットされた情報の記録に関係している。但し、本発明は、このタイプの情報を記録することに制限されるものではない。本発明は、例えばＣＤ−Ｉ標準又はＰＨＯＴＯ−ＣＤ標準のような異なるＣＤ標準に従ってフォーマットされた情報にも同様に適用できる。更に、本発明は、情報ボリューム内に含まれる情報探索のための制御情報が各情報ボリューム内に含まれる情報ボリュームの各記録にも適用できる。
【００６３】
　最後に、本発明が追記型の記録担体への情報の記録と追記型の記録担体からの情報の読取とに対して著しく適していることは注目されるべきである。しかしながら、本発明の使用はこれに制限されるものではない。本発明は再書込可能な種類の記録担体上への情報の記録と再書込可能な種類の記録担体からの情報の読取とにも適用できる。
【図面の簡単な説明】
【００６４】
【図１】従来のＩＳＯ ９６６０に記載されたＣＤ−ＲＯＭディスクのトラックのレイアウトを図式的に示している。
【図２】ＣＤ−ＲＯＭディスクを読み取るためのＣＤ−ＲＯＭ読取装置を図式的に示している。
【図３】例えばＯＳ９オペレーティングシステムのような普通のオペレーティングシステムの構造を図式的に示している。
【図４】本発明による一実施例のディスク上のトラックのレイアウトを図式的に示している。
【図５】本発明による読取装置に対する実施例により実行されるプログラムのフローチャートを示している。
【図６】本発明による３つの情報ボリュームＶＯＬ１，ＶＯＬ２及びＶＯＬ３が記録されているトラックのレイアウトを図解によって示している。
【図７】本発明による読取装置に対する実施例により実行されるプログラムのフローチャートを示している。
【図８】本発明による読取装置に対する一実施例を示している。
【図９】本発明による読取装置において使用されるべき回路の一実施例を示している。
【図１０】本発明による読取装置に対する実施例により実行されるプログラムのフローチャートを示している。
【図１１】本発明による記録装置に対する一実施例を示している。
【図１２】本発明による記録装置に使用されるべき書込ユニットに対する一実施例を示している。
【図１３】本発明により実行されるプログラムのフローチャートを示している。
【図１４】本発明により実行される別のプログラムのフローチャートを示している。
【図１５】本発明により実行される更に別のプログラムのフローチャートを示している。
【図１６】本発明による方法に対する一実施例の順次の段階の間の記録担体のレイアウトを図解により示している。
【図１７】本発明により実行される更に別のプログラムのフローチャートを示している。
【図１８】本発明により実行される更に別のプログラムのフローチャートを示している。
【符号の説明】
【００６５】
　１０…トラック
　１１，１２，１３，１４…参照符号を表す線
　２０…ＣＤ−ＲＯＭディスク
　２１…ＣＤプレーヤ
　２２…制御ユニット
　２３…データ信号経路
　２４…システムバス
　２５…中央処理装置
　２６…ＲＯＭ
　２７…ＲＡＭ
　２８…情報再生装置
　２９…制御信号経路
　４０，４１，４２…参照符号を表す線
　５０…高域通過フィルタ
　５１…整流回路
　５２…比較回路
　６０，６１，６２，６３，６４，６５…参照符号を表す線
　７０…ディスク
　７１…光学読取／書込ヘッド
　７２…駆動電動機
　７３…軸線
　７４…半径方向移動ユニット
　７５…データ信号経路
　７６…普通のＣＩＲＣエンコーダ
　７７…普通のＥＦＭ変調装置
　７８…レーザ制御回路
　７９…ＡＴＩＰ検出器
　８０…軸線
　８１…駆動電動機
　８２…光学読取ヘッド
　８３…半径方向駆動ユニット
　８４…信号経路
　８５…普通の信号処理ユニット
　８６…検出回路
　９０…電動機制御回路
　９１…クロック発生器
　９２…入力段
　９３…制御ユニット
　９４…出力段
　９５…ＥＦＭ復調装置
　９６…ＣＩＲＣデコーダ
　９７…データ信号経路
　９８，９９…制御信号経路
　１１０…コンピュータシステム
　１１１…中央処理装置
　１１２…ＲＡＭ
　１１３…ＲＯＭ
　１１４…システムバス
　１１５…書込ユニット
　Ｅｒｅｆ…基準値
　ＤＦ…ディレクトリファイル
　ＤＲ…デバイスドライバ
　Ｆ１〜Ｆｎ…ユーザファイル
　ＦＭ…ファイル管理プログラム
　ＫＲ…核
　ＬＩ…リードイン部
　ＬＯ…リードアウト部
　ＬＳＮ…理論セクタ番号
　ＰＡ…プログラム領域
　ＰＧ…プレギャップ
　ＰＴ…経路表
　ＳＡ…システム領域
　ＶＤ…ボリューム記述子
　ＶＯＬ１〜ＶＯＬｎ…情報ボリューム
　ＴＲＣＫ Ａ−１〜ＴＲＣＫ Ａ＋１…トラック
【図１】
2004103228.tif 000003
【図２】
2004103228.tif 000004
【図３】
2004103228.tif 000005
【図４】
2004103228.tif 000006
【図５】
2004103228.tif 000007
【図６】
2004103228.tif 000008
【図７】
2004103228.tif 000009
【図８】
2004103228.tif 000010
【図９】
2004103228.tif 000011
【図１０】
2004103228.tif 000012
【図１１】
2004103228.tif 000013
【図１２】
2004103228.tif 000014
【図１３】
2004103228.tif 000015
【図１４】
2004103228.tif 000016
【図１５】
2004103228.tif 000017
【図１６】
2004103228.tif 000018
【図１７】
2004103228.tif 000019
【図１８】
2004103228.tif 000020